(57)【要約】【課題】従来の塵埃の掻き取り性能を維持しながら、小型で、衛生的で、低騒音で、しかもメンテナンスの容易な空気調和機用清掃装置を提供する。【解決手段】空気調和機（図示せず）に内蔵されたエアフイルター（図示せず）に付着した塵埃を掻き取る清掃体３４と、清掃体３４で掻き取られた塵埃を収納すると共に一端に塵埃排出用の排出口４５を有する集塵ボックス３３と、集塵ボックス３３に収納された塵埃を排出口４５に向けて移送する塵埃移送手段３６と、排出口４５を開閉する蓋４６とを備えたもので、清掃体３４によってエアフイルターに付着した塵埃が確実に掻き取られると共に、蓋４６を開けて、集塵ボックス３３内の塵埃を、塵埃移送手段３６で排出口４５に移送するだけで、塵埃を簡単に廃棄することが出来、メンテナンスが容易である。又、塵埃排出用の吸引装置などが不要なので、小型、低騒音で、しかも衛生的である。【選択図】図３
2008215709.tif 000002
【特許請求の範囲】
【請求項１】
空気調和機に内蔵されたエアフイルターに付着した塵埃を掻き取る清掃体と、前記清掃体で掻き取られた塵埃を収納すると共に一端に塵埃排出用の排出口を有する集塵ボックスと、前記集塵ボックスに収納された前記塵埃を前記集塵ボックス内で前記排出口に向けて移送する塵埃移送手段と、前記排出口を開閉する蓋とを備えた空気調和機用清掃装置。
【請求項２】
塵埃移送手段を、集塵ボックス内で移動して塵埃を移送する移送板と、前記移送板に連結された操作用のつまみで構成し、前記塵埃移送手段を最も排出口側に移動させたとき、前記移送板の前記排出口側の面が、前記排出口より外方に突出するようにした請求項１に記載の空気調和機用清掃装置。
【請求項３】
蓋を開成方向に付勢する付勢手段と、前記蓋の閉成状態を維持するロック手段を設けた請求項1又は２に記載の空気調和機用清掃装置。
【請求項４】
塵埃移送手段の移動動作とロック手段の解除動作とを連動させた請求項３に記載の空気調和機用清掃装置。
【請求項５】
熱交換器と、前記熱交換器の上流側に配され流入する空気に含まれる塵埃を捕獲するエアフイルターと、請求項１〜４のいずれか１項に記載の空気調和機用清掃装置を備えた空気調和機。
【発明の詳細な説明】
【技術分野】
【０００１】
本発明は、空気調和機に取り付けられたエアフィルターの清掃を行う空気調和機用清掃装置と、それを用いた空気調和機に関するものである。
【背景技術】
【０００２】
従来のこの種の空気調和機用清掃装置として、図１７に示すようなものがあった（例えば、特許文献１参照）。
図１７は、上記特許文献１に記載された従来の空気調和機用清掃装置を搭載した空気調和機の室内機本体の断面図である。
【０００３】
図１７において、空気調和機の室内機本体１内には、熱交換器２と、室内の空気を取り入れる吸込口３と、前記熱交換器２と前記吸込口３の間に設けられたベルト状のエアフィルター４と、このエアフィルター４を張設した駆動軸６および従動軸７と、前記駆動軸６を回転駆動するサーボモーター５と、前記エアフィルター４で捕集された塵埃を除去する空気調和機用清掃装置８と、前記吸込口３から室内の空気を吸引し、熱交換器２を通して吹き出し口９から、熱交換された空気を室内に吹き出すファン１０とを備えている。
【０００４】
空気調和機用清掃装置８は、回転清掃体１１と、前記回転清掃体１１を回転駆動する駆動手段（図示せず）と、前記吸込口３と連通すると共に前記回転清掃体１１を内設し排出口１２を有する排気管１３と、前記排気管１３内に設けられた塵埃排出用ファン１４から構成されている。回転清掃体１１は、ロータ１１ａと、そのロータ１１ａの外周の長手方向に設けられ、エアフィルター４に付着した塵埃を掻き取るブラシ状の清掃体１１ｂから構成されている。
【０００５】
以上のように構成された従来の空気調和機用清掃装置及び空気調和機の動作、作用は以下の通りである。
室内機本体１を、例えば、冷房運転すると、ファン１０の回転により室内の空気が吸込口３から流入し、エアフィルター４を通って熱交換器２に至り、そこで冷却され、冷たい空気が吹き出し口９から室内に吹き出される。吸引される室内の空気に含まれる塵埃は、前記エアフィルター４で捕集され、エアフィルター４の表面に堆積する。エアフィルター４の表面に塵埃が堆積してくると、空気の通気圧損が増加し、熱交換効率が低下してくるので、定期的に或いは、必要に応じて、エアフィルター４上の塵埃の除去運転が必要となる。
【０００６】
塵埃の除去運転は、サーボモーター５を運転して駆動軸６を回転させてベルト状のエアフィルター４を連続的に移動させながら、その間に、回転清掃体１１を回転させると共に塵埃排出用ファン１４を運転するもので、エアフィルター４上の塵埃が、回転清掃体１１の清掃体１１ｂで掻き取られ、掻き取られた塵埃は、塵埃排出用ファン１４により吸引され、排出口１２より室外に排出されるようになっている。
【特許文献１】特開平６−７４５２１号公報
【発明の開示】
【発明が解決しようとする課題】
【０００７】
しかしながら、上記従来の空気調和機用清掃装置の構成では、塵埃排出用ファン１４を設けているので、構造が複雑で、またそれを設けるスペースが必要なため、空気調和機用清掃装置は勿論それを搭載した空気調和機が大型化するという課題があった。
【０００８】
又、塵埃の吸引時に、塵埃吸引用ファン１４が高速で回転するため、騒音が大きいという課題も有った。さらに、塵埃を、排出口１２から直接屋外に排出するようにしているため、屋外の空気が塵埃で汚染され、非常に非衛生的であった。
【０００９】
本発明は、上記従来の課題を解決するもので、従来の塵埃の掻き取り性能を維持しながら、小型で、衛生的で、低騒音で、しかもメンテナンスの容易な空気調和機用清掃装置と、空気調和機を提供することを目的とするものである。
【課題を解決するための手段】
【００１０】
前記従来の課題を解決するために、本発明の空気調和機用清掃装置は、空気調和機に内蔵されたエアフイルターに付着した塵埃を掻き取る清掃体と、前記清掃体で掻き取られた塵埃を収納すると共に一端に塵埃排出用の排出口を有する集塵ボックスと、前記集塵ボックスに収納された前記塵埃を前記集塵ボックス内で前記排出口に向けて移送する塵埃移送手段と、前記排出口を開閉する蓋とを備えたもので、清掃体によってエアフイルターに付着した塵埃が確実に掻き取られると共に、蓋を開けて、集塵ボックスに収納された塵埃を、塵埃移送手段で排出口に向けて移送するだけで、塵埃を簡単に廃棄することが出来、メンテナンスが容易である。又、塵埃を吸引し、それを外部に排出するような吸引装置などが不要なので、小型、低騒音で、しかも衛生的である。
【００１１】
また、本発明の空気調和機は、熱交換器と、前記熱交換器の上流側に配され流入する空気に含まれる塵埃を捕獲するエアフイルターと、請求項１〜４のいずれか1項に記載の空気調和機用清掃装置を備えたもので、従来の塵埃掻き取り性能を維持しながら、小型、低騒音で、しかもメンテナンスが容易な空気調和機用清掃装置を用いることにより、空気調和機のエアフイルターを常にきれいに保つことが出来るので、空調性能に優れ、しかもメンテナンスの容易な空気調和機を提供することが出来る。
【発明の効果】
【００１２】
本発明の空気調和機用清掃装置及び空気調和機は、従来の塵埃の掻き取り性能を維持しながら、小型で、衛生的で、低騒音で、しかもメンテナンスが容易である。
【発明を実施するための最良の形態】
【００１３】
第１の発明は、空気調和機に内蔵されたエアフイルターに付着した塵埃を掻き取る清掃体と、前記清掃体で掻き取られた塵埃を収納すると共に一端に塵埃排出用の排出口を有する集塵ボックスと、前記集塵ボックスに収納された前記塵埃を前記集塵ボックス内で前記排出口に向けて移送する塵埃移送手段と、前記排出口を開閉する蓋とを備えたもので、清掃体によってエアフイルターに付着した塵埃が確実に掻き取られると共に、蓋を開けて、集塵ボックスに収納された塵埃を、塵埃移送手段で排出口に向けて移送するだけで、塵埃を簡単に廃棄することが出来、メンテナンスが容易である。又、塵埃を吸引し、それを外部に排出するような吸引装置などが不要なので、小型、低騒音で、しかも衛生的である。
【００１４】
第２の発明は、特に、第１の発明の塵埃移送手段を、集塵ボックス内で移動して塵埃を移送する移送板と、前記移送板に連結された操作用のつまみで構成し、前記塵埃移送手段を最も排出口側に移動させたとき、前記移送板の前記排出口側の面が、前記排出口より外方に突出するようにしたもので、塵埃を廃棄するために、塵埃移送手段を最も排出口側に移動させたとき、移送板の排出口側の面が、排出口より突出するので、集塵ボックス内の塵埃を全て、確実に外に放出することができ、効率的で、しかも衛生的である。
【００１５】
第３の発明は、特に、第１又は第２の発明の蓋を開成方向に付勢する付勢手段と、前記蓋の閉成状態を維持するロック手段を設けたもので、ロック手段により蓋の閉成状態が維持されているので、集塵ボックス内の塵埃が不用意に外部に飛び出すことが無く、また、塵埃を廃棄するときは、ロック手段を解除するだけで、付勢手段により、蓋が自動的に開くので、塵埃の廃棄作業が容易で、しかも衛生的である。
【００１６】
第４の発明は、特に、第３の発明の塵埃移送手段の移動動作とロック手段の解除動作とを連動させたもので、塵埃を廃棄するために、塵埃移送手段を排出口に向けて移動させると、その動きに連動してロック手段が解除され同時に蓋が開くので、塵埃の廃棄作業が極めて容易である。
【００１７】
第５の発明は、熱交換器と、前記熱交換器の上流側に配され流入する空気に含まれる塵埃を捕獲するエアフイルターと、請求項１〜４のいずれか1項に記載の空気調和機用清掃装置を備えたもので、従来の塵埃掻き取り性能を維持しながら、小型、低騒音で、しかもメンテナンスが容易な空気調和機用清掃装置を用いることにより、空気調和機のエアフイルターを常にきれいに保つことが出来るので、空調性能に優れ、しかもメンテナンスの容易な空気調和機を提供することが出来る。
【００１８】
以下、本発明の実施例について、図面を参照しながら説明する。なお、この実施例によって本発明が限定されるものではない。
（実施例１）
【００１９】
本発明の第１の実施例における空気調和機用清掃装置およびそれを搭載した空気調和機について図１〜８を用いて説明する。
図１は、本実施例における空気調和機用清掃装置を搭載した空気調和機の室内機の斜視図、図２は、同室内機の概略断面図である。
【００２０】
図１、２において、３０は、本実施例における空気調和機用清掃装置（以下「清掃装置３０」という）で、室内に設置された空気調和機の室内機２０に、前方より着脱自在に装着されるようになっている。
【００２１】
室内機２０の前面には、室内の空気を取り入れるための吸込口２２ａを有する前面パネル２２が設けられ、その吸込口２２ａの下流側に、エアフィルター２１、室内の空気を熱交換する熱交換器２３、ファン２４が順に配され、ファン２４を運転すると、室内の空気が、吸込口２２ａから吸引され、熱交換器２３で熱交換された後、吹出口２５から室内に吹き出される。
【００２２】
エアフィルター２１は、図２に示すように、ベルト状に形成されると共に、図示しないモーターと減速装置からなる駆動手段２６で回転駆動される駆動プーリー２７と、従動プーリー２８間に張架されている。
【００２３】
次に、清掃装置３０の詳細について図３〜８を用いて説明する。
図３は、清掃装置の斜視図、図４は、同清掃装置の分解図、図５は、同清掃装置の塵埃移送手段の構成を示す展開図、図６は、図３のＡ−Ａ断面図、図７（ａ）は、同清掃装置の要部断面図（蓋が閉じられた状態）、（ｂ）は、同清掃装置の要部断面図（塵埃を廃棄する様子を示す図）である。
【００２４】
図３〜７において、空気調和機用清掃装置３０は、カバー上３１とカバー下３２からなり、室内機２０に着脱自在で、塵埃３５を収納する集塵ボックス３３と、集塵ボックス３３に回転自在に、かつ着脱自在に収納されエアフィルター２１に付着した塵埃３５を掻き取る清掃体３４と、清掃体３４で掻き取られ集塵ボックス３３内に溜まった塵埃３５を、集塵ボックス３３の長手方向に沿って移送させる塵埃移送手段３６と、カバー上３１の内壁の長手方向に一体に略櫛状に形成され、回転清掃体３４に付着した塵埃３５を掻き取る塵埃除去手段３７を備えている。
【００２５】
集塵ボックス３３の一端には、内部の塵埃３５を排出する為の排出口４５と、前記排出口４５を開閉する蓋４６が設けられている。本実施例では、蓋４６の一側の両端に回動軸４６ａを設け、その回動軸４６ａを、カバー上３１、カバー下３２に設けた回動穴４７で軸支して、蓋４６を回動自在としている。４８は、回動軸４６ａに装着された付勢手段Ａで、蓋４６を開成方向に付勢するためのものである。
【００２６】
塵埃移送手段３６は、図４、５に示すように、カバー上３１の上面をスライド自在のつまみ４０と、つまみ４０の底面に垂下形成されたリブ４０ａが挿入嵌合される受け部４１ａを有する移送板４１から構成されている。４２は、カバー上３１に設けられ、つまみ４０のリブ４０ａをガイドするスリットで、４３は、つまみ４０のリブ４０ａが貫通するスリット４３ａを有すると共に、カバー上３１の裏面に貼着されるシール部材で、カバー上３１のスリット４２から、外気が流入するのを防止するためのものである。
【００２７】
蓋４６には、図７に示すように、集塵ボックス３３に設けた排出口４５を閉じた状態でロックするためのロック手段６０が設けられている。ロック手段６０は、摺動自在のロック爪体６１と、ロック爪体６１を、スプリングなどからなりカバー下３２の内壁側に向けて付勢する付勢手段Ｂ６２と、前記ロック爪体６１に設けた軸部６１ａに連結されると共に、指で操作されるつまみ６３から構成されている。
【００２８】
また、カバー下３２の内壁のロック爪体６１と対向する部位には、ロック爪体６１の端部が係合する凹部３２ａが設けられており、蓋４６が閉じた状態では、図７（ａ）に示すように、付勢手段Ｂ６２の付勢力によりロック爪体６１の端部が、凹部３２ａに係合し、蓋４６が不用意に開くことは無い。そして、蓋４６を開くときは、つまみ６３を操作して、付勢手段６２の付勢力に抗してロック爪体６１を後退させることにより、ロック爪体６１の端部が、凹部３２ａから外れると同時に、付勢手段Ａ４８の付勢力により、自動的に開くようになっている。
【００２９】
次に、清掃体３４の詳細について、図８を用いて述べる。
図８（ａ）は、清掃体３４及び室内機２０の一部の斜視図、（ｂ）は、同清掃体３４の製法を示す図である。
【００３０】
図８において、清掃体３４は、棒状で金属材料からなる軸体５１と、軸体５１の外周に螺旋状に巻き付けられると共に、基布５２ａと、基布５２ａに植毛されたブラシ部５２ｂからなる起毛布５２と、軸体５１の両側に設けられ軸体５１を回転自在に保持すると共に、カバー上３１に装着される軸受け体５３と、軸体５１の一端に固着され、清掃装置３０を室内機２０の前方より装着したときに、室内機２０側に設けられた駆動手段Ａ５４で回転駆動されるギアーＡ５５と噛み合うギアーＢ５６とから構成されている。清掃体３４が、集塵ボックス３３に装着された状態では、図６に示すように、塵埃除去手段３７の先端が清掃体３４のブラシ部５２ｂに食い込むように構成されている。
【００３１】
又、本実施例では、軸体５１に巻きつけられた起毛布５２の全幅寸法（有効清掃幅寸法Ｌ）を５００ｍｍ以上としている。
なお、本実施例では、上述のように、軸体５１を１本の棒状部材で形成しているが、複数本に分割して、それらを螺子嵌合や、圧入等で繋ぐようにしても良い。そのようにすれば、軸体５１の運搬が容易で、しかも梱包形態も簡素化される。
また、軸体５１を、パイプのような中空の部材で形成すれば、軸体５１の質量が低減し、回転清掃体３４、ひいては、清掃装置３０の軽量化を図ることが出来る。
【００３２】
以上のように構成された本実施例における清掃装置３０及びそれを搭載した空気調和機の室内機２０の動作、作用は以下の通りである。
まず最初に、清掃装置３０のつまみ４０を操作して、移送板４１を、集塵ボックス３３の排出口４５と反対側の端部に寄せておく（図３においては、右端に寄せておく）。そして図１に示すように、清掃装置３０を、空気調和機の室内機２０の所定に箇所に装着しておく。この状態では、図２及び図６に示すように、清掃装置３０に内蔵された清掃体３４のブラシ部５２ｂの先端がエアフィルター２１の表面に当接している。
【００３３】
そして、室内機２０を例えば、冷房運転すると、ファン２４の運転により室内の空気が吸込口２２ａから流入し、エアフィルター２１を通って熱交換器２３に至り、そこで冷却され、冷たい空気が吹出口２５から室内に吹き出される。吸込口２２ａから吸引される室内の空気に含まれた塵埃は、エアフィルター２１で捕獲され、そのエアフィルター２１の表面に次第に堆積していく。エアフィルター２１の表面に塵埃が堆積してくると、空気の通気圧損が増加し、熱交換器２３での熱交換効率が低下してくるので、定期的に或いは、必要に応じて、エアフィルター２１に堆積した塵埃の除去運転が必要となる。
【００３４】
本実施例では、塵埃の除去運転を開始すると、図２、図６に示すように、駆動手段２６により駆動プーリー２７が反時計方向に回転し、エアフィルター２１が矢印Ａ方向に移動を開始する。同時に、清掃装置３０の清掃体３４を、同じく反時計方向（矢印Ｂ）に回転させることにより、エアフィルター２１の表面に付着していた塵埃３５が清掃体３４のブラシ部５２ｂにより掻き取られ、集塵ボックス３３内にこぼれ落ちる。同時に、ブラシ部５２ｂ上に取り残された塵埃３５は、櫛状の塵埃除去手段３７により除去され、同様に集塵ボックス３３内に回収される。
【００３５】
この塵埃除去運転は、ベルト状のエアフィルター２１が半周すなわち、エアフィルター２１の前側半分が、後ろ側に移動するまで行なわれる。通常、エアフィルター２１の後ろ側半分には、塵埃がほとんど堆積しないので、塵埃除去運転を終えた時点で、エアフィルター２１のきれいな後ろ側半分が、前側に移動している。
【００３６】
何度か、上記塵埃除去運転を行なうと、清掃装置３０の集塵ボックス３３内に塵埃３５が堆積してくるので、それを廃棄する必要がある。
本実施例における塵埃廃棄作業は以下のようにして行なわれる。
【００３７】
まず、清掃装置３０を室内機２０から取り外す。次に、清掃装置３０をゴミ箱やゴミ袋の上に持って行き、集塵ボックス３３の排出口４５を下に向けて、つまみ６３を操作して蓋４６を開け、引き続きつまみ４０を操作して、移送板４１を排出口４５側に移動させることにより、集塵ボックス３３内の塵埃３５を確実に廃棄することができる。尚、本実施例では、移送板４１を最も排出口４５側に寄せたとき、図７（ｂ）に示すように、移送板４１の蓋４６側の表面が、排出口４５より外方に突出するようにしている。このようにすることにより、集塵ボックス３３内の全ての塵埃３５を確実に排出することができる。
【００３８】
そして、塵埃３５を廃棄後、４０を再度操作して、移送板４１を排出口４５と反対側の端部まで移動させた後、清掃装置３０を、室内機２０の所定の場所に再度装着する。
【００３９】
なお、上記実施例では、集塵ボックス３３内の塵埃３５を廃棄する時に、つまみ４０を操作するように説明したが、清掃装置３０を室内機２０に装着したままの状態で、時々つまみ４０を往復操作させて、集塵ボックス３３内の塵埃３５を圧縮して排出口４５側に寄せて置くようにしても良い。こうすれば、より多くの塵埃３５を集塵ボックス３３内に溜めておけるので、塵埃３５の廃棄頻度が減り、メンテナンスが容易になるものである。
【００４０】
以上のように、本実施例によれば、清掃体３４によってエアフイルター２１に付着した塵埃３５が確実に掻き取られると共に、蓋４６を開けて、集塵ボックス３３に収納された塵埃３５を、塵埃移送手段３６で排出口４５に向けて移送するだけで、塵埃３５を簡単に廃棄することが出来るので、メンテナンスが容易である。又、塵埃を吸引し、それを外部に排出するような吸引装置などが不要なので、小型、低騒音で、しかも衛生的である。
【００４１】
また、塵埃移送手段３６で、集塵ボックス３３内の塵埃３５を排出口４５側に移送することにより、塵埃３５が圧縮されるので、集塵ボックス３３内に多量の塵埃３５を溜めておけるようになり、集塵ボックス３３内の塵埃３５の廃棄頻度が減り、塵埃３５の廃棄作業が軽減される。又、塵埃３５を吸引すると共に外部にそれを排出するための吸引装置などが不要なので、小型、低騒音で、しかも衛生的である。
【００４２】
又、清掃体３４は、集塵ボックス３３内に着脱自在に収納されると共に、前記集塵ボックス３３を空気調和機の室内機２０に対し着脱自在なので、一般に高所に設置された室内機２０から集塵ボックス３３を容易に取り外すことができ、集塵ボックス３３内の塵埃３５の廃棄が容易で、しかも清掃体３４を集塵ボックス３３から容易に取り出せるので、清掃体３３にこびりついた塵埃３５の除去、清掃も容易になる。
【００４３】
また、塵埃３５を廃棄するために、塵埃移送手段３６を最も排出口４５側に移動させたとき、移送板４１の排出口４５側の面が、排出口４５より突出するので、集塵ボックス３３内の塵埃３５を全て、確実に外に放出することができ、効率的で、しかも衛生的である。
【００４４】
また、ロック手段６０により蓋４６の閉成状態が維持されているので、集塵ボックス３３内の塵埃３５が不用意に外部に飛び出すことが無く、また、塵埃３５を廃棄するときは、つまみ６３を操作してロック手段６０を解除するだけで、付勢手段Ａ４８により、蓋４６が自動的に開くので、塵埃３５の廃棄作業が容易で、しかも衛生的である。
【００４５】
さらに、清掃体３４に付着した塵埃３５を除去する塵埃除去手段３７を設けたことにより、清掃体３４を常にきれいに保つことができ、塵埃掻き取り性能が低下することが無く、また、清掃体３４で掻き取られた塵埃３５が、エアフイルター２１に再付着することも無く、塵埃除去性能が向上する。
【００４６】
又、清掃体３４を、棒状の軸体５１と、軸体５１に螺旋状に巻き付けられると共に基布５２ａと、基布５２ａに植毛されたブラシ部５２ｂからなる起毛布５２とで構成したことにより、清掃体３４の製造が容易になり、清掃装置３０を安価に形成することができる。
【００４７】
又、軸体５１に巻きつけられた起毛布５２の全幅寸法（有効清掃幅寸法）を５００ｍｍ以上としたことにより、空気調和機の室内機２０に内設された幅の広いエアフイルター２１の全幅に渡って、ブラシ部５２ｂが当たるので、清掃体３４を超低速（例えば、１０ＲＰＭ程度）で回転させても十分均一にエアフイルター２１を清掃することができ、しかも清掃体３４の回転時の騒音を低減することができる。
【００４８】
（実施例２）
図９（ａ）は、本発明の第２の実施例における空気調和機用清掃装置の部分断面図（蓋がロックされた状態）、図９（ｂ）は、同空気調和機用清掃装置の部分断面図（蓋のロックが解除される様子を示す図）である。なお、上記第１の実施例と同一部分については、同一符号を付してその説明を省略する。
【００４９】
上記第１の実施例では、つまみ６３を操作して蓋４６を開けるようにしたが、本実施例は、塵埃移送手段３６の動作に連動させて蓋４６のロック手段６０によるロックを解除するようにするものである。
【００５０】
図９において、ロック手段６０の一部を構成するロック爪体６１の移送板４１側の一部に突起６１ｂが一体に形成され、一方移送板４１の蓋４６側の面には、前記突起６１ｂに当接する傾斜面４１ｃを有する突起４１ｄが形成されている。
【００５１】
以上のように構成された本実施例における清掃装置３０の塵埃３５の廃棄作業は、以下の通りである。
つまみ４０を操作して、塵埃移送手段３６の移送板４１を集塵ボックス３３の排出口４５側に移動させていくと、中の塵埃３５が圧縮されながら蓋４６側に寄せられていく。更に移送板４１を移動させていくと、図９（ｂ）に示すように、移送板４１に設けた突起４１ｄの傾斜面４１ｃが、ロック爪体６１の突起６１ｂに当接し、それにより、付勢手段Ｂ６２の付勢力に抗してロック爪体６１を、左方向すなわち、ロック爪体６１の先端が、集塵ボックス３３のカバー下３２に設けた凹部３２ａから外れる方向に移動し、ロック爪体６１の先端が凹部３２ａから外れると同時に付勢手段Ａ４８により、蓋４６が自動的に開き、圧縮されてコンパクトになった塵埃３５が排出される。
【００５２】
以上のように、本実施例によれば、塵埃移送手段３６を排出口４５に向けて移動させると、その動きに連動してロック手段６０が解除され同時に蓋４５が開くので、塵埃３５の廃棄作業が極めて容易になる。
【００５３】
（実施例３）
図１０は、本発明の第３の実施例における空気調和機用清掃装置の斜視図、図１１は、図１０のＢ−Ｂ断面図、図１２は、同空気調和機用清掃装置の清掃体の斜視図である。なお、上記実施例と同一部分については、同一符号を付してその説明を省略する。
上記第１の実施例では、エアフイルター２１に付着した塵埃を掻き取る手段として回転する清掃体を用いたが、本実施例は、固定式の清掃体を用いるようにしたものである。
【００５４】
図１０〜１２において、本実施の形態における空気調和機用清掃装置６５（以下「清掃装置６５」という）は、カバー下６６とカバー上６７からなり、塵埃３５を集塵する集塵ボックス６８と、集塵ボックス６８の一端に設けられ塵埃排出用の排出口６９と、排出口６９を開閉すると共に、一端がカバー下６６とカバー上６７で回動自在に軸支された蓋７０と、集塵ボックス６８内の塵埃３５を排出口６９に向けて移送する塵埃移送手段７１と、カバー上６７の内壁に設けられ溝部６７ａに着脱自在に装着されエアフイルター２１に付着した塵埃３５を掻き取る清掃体７２を備えている。
【００５５】
清掃体７２は、図１２に示すように、断面略Ｕ字状で金属製の帯状体７２ａと、下端が帯状体７２ａで挟持されたブラシ部７２ｂから構成され、清掃体７２をカバー上６７の溝部６７ａに装着したときに、エアフイルター２１の表面の塵埃３５を掻き落としやすいようにブラシ部７２ｂの先端が、エアフイルター２１の表面に対し若干斜めに摺接するように構成されている。
【００５６】
尚、上記塵埃移送手段７１は、移送板４１の外形形状を除き、第１の実施例の塵埃移送手段３６と、構成は同一である。また、上記蓋７０の構成も、その外形形状以外は、第１の実施例の蓋４６と同一である。
【００５７】
以上のように構成された本実施例における清掃装置６５による塵埃除去運転及び塵埃廃棄作業は以下の通りである。
予め、つまみ４０を操作して、移送板４１を、集塵ボックス６８の排出口６９と反対側の端部に寄せておいた清掃装置６５を、空気調和機の室内機２０の所定に箇所に装着し、塵埃除去運転を開始すると、第１の実施例と同様に、駆動手段２６により駆動プーリー２７が反時計方向に回転し、エアフィルター２１が矢印Ａ方向に移動を開始する。すると、エアフィルター２１に付着していた塵埃３５が、清掃体７２のブラシ部７２ｂの先端で掻き落とされ、集塵ボックス６８内に落下し、次第に堆積していく。この塵埃除去運転は、ベルト状のエアフィルター２１が半周すなわち、エアフィルター２１の前側半分が、後ろ側に移動するまで行なわれる。
【００５８】
集塵ボックス６８に堆積した塵埃３５を廃棄するときは、清掃装置６５を室内機２０から取り外し、つまみ６３を操作して蓋７０を開け、塵埃移送手段７１のつまみ４０を操作して、移送板４１を排出口６９に向けて移動させることにより、簡単にしかも確実に廃棄することができる。
【００５９】
また、本実施例では、清掃体７２は、固定式で、それを回転させるための駆動手段が不要なので、清掃装置６５の構成が簡素化され、安価に提供することができる。また、清掃体７２は、カバー上６７に設けた溝部６７ａに着脱自在に装着されているので、清掃体７２のブラシ部７２ｂが汚れてきたとき、簡単に清掃体７２を集塵ボックス６８から取り外して清掃することが出来るのでメンテナンスも容易である。
【００６０】
（実施例４）
図１３は、本発明の第４の実施例における空気調和機用清掃装置を搭載した空気調和機の室内機の断面図、図１４（ａ）は、同空気調和機用清掃装置の斜視図、図１４（ｂ）は、図１４（ａ）のＡ矢視図、図１５(ａ)は、図１４（ｂ）のＣ−Ｃ断面図(清掃体の下降時)、図１５（ｂ）は、図１４（ｂ）のＣ−Ｃ断面図(清掃体の上昇時)、図１５（ｃ）は、図１５（ａ）のＢ矢視図、図１５（ｄ）は、同空気調和機用清掃装置の清掃体の斜視図、図１６は、同空気調和機用清掃装置の清掃体の動作を示す図である。なお、上記実施例と同一部分については、同一符号を付してその説明を省略する。
【００６１】
図１３〜図１６において、本実施例における空気調和機用清掃装置７５（以下「清掃装置７５」という）が搭載される空気調和機の室内機７６の前面には、室内の空気を取り入れるための吸込口２２ａを有する前面パネル２２が設けられ、その吸込口２２ａの下流側に、エアフィルター７７、室内の空気を熱交換する熱交換器２３、ファン２４が順に配され、ファン２４を運転すると、室内の空気が、吸込口２２ａから吸引され、エアフィルター７７を通って熱交換器２３で熱交換された後、吹出口２５から室内に吹き出される。
【００６２】
本実施例の清掃装置７５は、エアフィルター７７の上流側に配されると共に、後述の巻き上げ手段７９と、巻き取り手段８１とで、エアフィルター７７の上流側の表面に沿って上下に移動して、エアフィルター７７に付着した塵埃３５を除去するものである。
【００６３】
清掃装置７５の上部は、ロープＡ７８を介して上方に配された巻き上げ手段７９に連結され、下部は、ロープＢ８０を介して、下方に配された巻き取り手段８１に連結されている。巻き上げ手段７９には、モータ等の駆動原（図示せず）が内蔵され、それを一方向に動作させることにより、ロープＡ７８を巻き上げるものである。一方、巻き取り手段８１は、コイルバネ(図示せず)が内蔵され、巻き上げ手段７９を運転してロープＡ７８が巻き上げられると、それにつれて、前記コイルバネを巻き上げながら、中のロープＢ８０が引っ張り出され、清掃装置７５は上方に移動する。巻き上げ手段７９を逆転させると、巻き上げられたコイルバネの付勢力により、ロープＢ８０が巻き取られると共に、ロープＡ７８が、巻き上げ手段７９から引きずり出されるようになっている。
８２は、清掃装置７５に設けられたフックで、ロープＡ７８、ロープＢ８０を着脱自在に引っ掛けるためのものである。
【００６４】
次に、清掃装置７５の詳細について説明する。清掃装置７５は、外郭を形成すると共に塵埃３５を収納する集塵ボックス８３と、集塵ボックス８３に回動自在に設けられエアフィルター７７に付着した塵埃３５を除去する清掃体８４と、集塵ボックス８３内の塵埃３５を移送する塵埃移送手段８５から構成されている。集塵ボックス８３の一端には、塵埃排出用の排出口８６と、排出口８６を開閉する蓋８７が設けられている。８８は、蓋８７を閉じた状態でロックするロック手段である。
【００６５】
清掃体８４は、図１５に示すように、一対の側部８４ａと、両側部８４ａの一端を連結し、断面が円弧状の連結部８４ｂと、連結部８４ｂの表面に設けられ、エアフィルター７７に付着した塵埃３５を除去するブラシ部８４ｃから構成されている。８９は、清掃体８４を回動させる駆動手段Ｂである。
【００６６】
集塵ボックス８３のエアフィルター７７に面する側には、ブラシ部８４ｃが臨む開口部９０が設けられ、その開口部９０の下縁の内側に、ブラシ部８４ｃに付着した塵埃３５を除去するためのくし歯９１が突出して設けられている。
【００６７】
塵埃移送手段８５は、集塵ボックス８３内の塵埃３５を移送する移送板９３と、移送板９３に一体的に設けられた軸部９３ａに装着されると共に指で操作されるつまみ９４から構成されている。９５は、軸部９３ａが貫通できるように、集塵ボックス８３に設けたスリットである。
【００６８】
以上のように構成された本実施例における清掃装置７５によるエアフィルター７７の清掃動作について説明する。
まず最初に、清掃装置７５をエアフィルター７７の上端に位置させておく。そして、エアフィルター７７の塵埃除去運転を開始すると、駆動手段８９が動作して、清掃体８４を、図１５（ａ）に示すような位置まで回動、すなわち、清掃体８４のブラシ部８４ｃを集塵ボックス８３の開口部９０から突出させて、エアフィルター７７の表面に摺接させる。この状態で、巻き上げ手段７９をロープＡ７８を緩める方向に駆動する。これにより、巻き取り手段８１がロープＢ８０を巻き取り、清掃装置７５がエアフィルター７７の表面に沿って下降する。この間に、エアフィルター７７の表面に付着した塵埃３５がブラシ部８４ｃで掻き取られ、その掻き取られた塵埃３５が、集塵ボックス８３の底部に堆積していく。
【００６９】
そして、清掃装置７５が、エアフィルター７７の下端に達したら、駆動手段Ｂ８９を駆動して、清掃体８４を、図１５（ｂ）に示すように時計方向に略９０度回動させる。このとき、清掃体８４のブラシ部８４ｃがくし歯９１により梳かれ、ブラシ部８４ｃに付着した塵埃３５が除去され、集塵ボックス８３内に回収される。次に、清掃体８４の回動位置を、図１５（ｂ）に示すような位置にしたままで、巻き上げ手段７９を駆動して清掃装置７５をエアフィルター７７の上端まで上昇させ、次の清掃に備える。
【００７０】
以上のように、清掃体８４を上昇させる際に、清掃体８４を、図１５（ｂ）に示す位置のままにしておくことにより、清掃体８４のブラシ部８４ｃが集塵ボックス８３の開口部９０から突出してエアフィルター７７の表面に摺接しないので、エアフィルター７７の表面に残っていた塵埃３５が上に掻き上げられることが無く、周囲が汚れることが無い。
【００７１】
以上の清掃体８４の動きを示したのが、図１６で、図１６（ａ）は、清掃装置７５を下降させながら、エアフィルター７７の表面から塵埃３５を除去するときの清掃体８４の回動位置を示し、図１６（ｂ）は、清掃装置７５を、エアフィルター７７の下端から上昇させる時の清掃体８４の回動位置を示している。
【００７２】
以上のようにして、エアフィルター７７の清掃を終えた後、集塵ボックス８３内に堆積した塵埃３５を廃棄するときは、巻き上げ手段７９を再び逆転させて、清掃装置７５をエアフィルター７７の下端まで移動させ、室内機７６の前面下方に設けた開閉自在の蓋体９７を開け、清掃装置７５を、ロープＡ、Ｂ７８、８０から外し、取り出す。そしてゴミ箱などの上で、集塵ボックス８３の排出口８６を下にして、ロック手段８８を解除して蓋８７を開け、つまみ９４を操作して、塵埃移送手段８５の移送板９３を集塵ボックス８３の排出口８６に向けて移動させることにより、集塵ボックス８３内の塵埃３５を確実に排気することができるものである。
【００７３】
以上のように、上記第１、第２の実施の形態では、エアフィルターをベルト状に配してエアフィルターを移動させるようにしたのに対し、本実施例では、エアフィルター７７は固定されているので、エアフィルター７７の取り付け構成が簡素化され、しかもエアフィルター７７を収納する部分の厚みが大幅に削減されるので、室内機７６の全体の厚み寸法を小さくできるというメリットが有る。
【００７４】
また、空気調和機の室内機２０、７６に、従来の塵埃掻き取り性能を維持しながら、小型、低騒音で、しかもメンテナンスが容易な上記空気調和機用清掃装置３０、６５、７５を用いることにより、エアフイルター２１を常にきれいに保つことが出来るので、空調性能に優れ、しかもメンテナンスの容易な空気調和機を提供することが出来る。
【産業上の利用可能性】
【００７５】
以上のように、本発明にかかる空気調和機用清掃装置は、従来の塵埃掻き取り性能を維持しながら、小型、低騒音で、しかも衛生的で、また、塵埃の廃棄、メンテナンスが容易なもので、家庭用、業務用の各種空気調和機は勿論、空気清浄機、換気装置などエアフィルターを有する各種機器に適用できるものである。
【図面の簡単な説明】
【００７６】
【図１】本発明の第１の実施例における空気調和機用清掃装置を搭載した空気調和機の室内機の斜視図
【図２】同室内機の概略断面図
【図３】同空気調和機用清掃装置の斜視図
【図４】同空気調和機用清掃装置の分解図
【図５】同空気調和機用清掃装置の塵埃移送手段の構成を示す展開図
【図６】図３のＡ−Ａ断面図
【図７】（ａ）同空気調和機用清掃装置の要部断面図（蓋が閉じられた状態）、（ｂ）同空気調和機用清掃装置の要部断面図（塵埃を廃棄する様子を示す図）
【図８】（ａ）同空気調和機用清掃装置の清掃体及び同室内機の一部の斜視図、（ｂ）同清掃体の製法を示す図
【図９】（ａ）本発明の第２の実施例における空気調和機用清掃装置の部分断面図（蓋がロックされた状態）、（ｂ）同空気調和機用清掃装置の部分断面図（蓋のロックが解除される様子を示す図）
【図１０】本発明の第３の実施例における空気調和機用清掃装置の斜視図
【図１１】図１０のＢ−Ｂ断面図
【図１２】同空気調和機用清掃装置の清掃体の斜視図
【図１３】本発明の第４の実施例における空気調和機用清掃装置を搭載した空気調和機の室内機の断面図
【図１４】（ａ）同空気調和機用清掃装置の斜視図、（ｂ）図１４（ａ）のＡ矢視図
【図１５】（ａ）図１４（ｂ）のＣ−Ｃ断面図(清掃装置の下降時)、（ｂ）図１４（ｂ）のＣ−Ｃ断面図(清掃装置の上昇時)、（ｃ）図１５（ａ）のＢ矢視図、（ｄ）同空気調和機用清掃装置の清掃体の斜視図
【図１６】（ａ）同空気調和機用清掃装置の清掃体の動作を示す図(清掃装置の下降時)、（ｂ）同清掃体の動作を示す図(清掃装置の上昇時)
【図１７】従来の空気調和機用清掃装置を搭載した空気調和機の室内機本体の断面図
【符号の説明】
【００７７】
２０、７６  室内機（空気調和機）
２１、７７  エアフィルター
２３  熱交換器
２４  ファン
２５  吹出口
３０、６５、７５  空気調和機用清掃装置(清掃装置)
３３、６８、８３  集塵ボックス
３４、７２、８４  清掃体
３５  塵埃
３６、７１、８５  塵埃移送手段
４０  つまみ
４１、９３  移送板
４５、６９、８６  排出口
４６、７０、８７  蓋
６０、８８  ロック手段
【図１】
2008215709.tif 000003
【図２】
2008215709.tif 000004
【図３】
2008215709.tif 000005
【図４】
2008215709.tif 000006
【図５】
2008215709.tif 000007
【図６】
2008215709.tif 000008
【図７】
2008215709.tif 000009
【図８】
2008215709.tif 000010
【図９】
2008215709.tif 000011
【図１０】
2008215709.tif 000012
【図１１】
2008215709.tif 000013
【図１２】
2008215709.tif 000014
【図１３】
2008215709.tif 000015
【図１４】
2008215709.tif 000016
【図１５】
2008215709.tif 000017
【図１６】
2008215709.tif 000018
【図１７】
2008215709.tif 000019